(57)【要約】【課題】デジタルサイネージ装置に表示される商品情報の視認性を向上させる。【解決手段】商品のパッケージ面と当該パッケージ面以外の他の面とを表した商品画像と、当該商品に関する商品情報とを対応付けて記憶する第１の記憶手段と、利用者からの操作を受け付ける受付手段と、複数の商品について、前記商品画像に含まれる前記パッケージ面を表示するとともに、前記受付手段で受け付けた操作に応じて当該商品画像に含まれる前記他の面を表示する表示手段と、前記表示手段が表示する前記商品画像に関連付けて、対応する商品の前記商品情報を表示させる表示制御手段と、を備える。【選択図】図７
2014206811.tif 000002
【特許請求の範囲】
【請求項１】
商品のパッケージ面と当該パッケージ面以外の他の面とを表した商品画像と、当該商品に関する商品情報とを対応付けて記憶する第１の記憶手段と、
利用者からの操作を受け付ける受付手段と、
複数の商品について、前記商品画像に含まれる前記パッケージ面を表示するとともに、前記受付手段で受け付けた操作に応じて当該商品画像に含まれる前記他の面を表示する表示手段と、
前記表示手段が表示する前記商品画像に関連付けて、対応する商品の前記商品情報を表示させる表示制御手段と、
を備える情報表示装置。
【請求項２】
前記第１の記憶手段は、前記商品画像の各面に含まれた文字列を商品情報として記憶し、
前記表示制御手段は、前記商品情報に所定の情報が含まれる場合に、前記商品画像に含まれた当該情報に対応する文字列部分を強調表示する請求項１に記載の情報表示装置。
【請求項３】
利用者が留意する事項を表した留意情報を利用者毎に記憶する第２の記憶手段と、
自装置を利用する利用者を識別する識別手段と、
を更に備え、
前記表示制御手段は、前記識別手段が識別した利用者の前記留意情報が前記商品情報に含まれる場合に、前記商品画像に含まれた当該留意情報に対応する文字列部分を強調表示する請求項２に記載の情報表示装置。
【請求項４】
前記表示手段は、前記パッケージ面を表示した前記複数の商品のうち、前記受付手段で選択を受け付けた選択商品について、当該選択商品の前記商品画像に含まれる各面を表示する請求項１〜３の何れか一項に記載の情報表示装置。
【請求項５】
前記表示手段は、前記受付手段により２以上の商品が選択された場合に、当該商品の前記商品画像を比較可能に表示する請求項４に記載の情報表示装置。
【請求項６】
商品のパッケージ面と当該パッケージ面以外の他の面とを表した商品画像と、当該商品に関する商品情報とを対応付けて記憶する第１の記憶手段を備えたコンピュータを、
利用者からの操作を受け付ける受付手段と、
複数の商品について、前記商品画像に含まれる前記パッケージ面を表示するとともに、前記受付手段で受け付けた操作に応じて当該商品画像に含まれる前記他の面を表示する表示手段と、
前記表示手段が表示する前記商品画像に関連付けて、対応する商品の前記商品情報を表示させる表示制御手段と、
して機能させるためのプログラム。
【発明の詳細な説明】
【技術分野】
【０００１】
本発明の実施形態は、情報表示装置及びプログラムに関する。
【背景技術】
【０００２】
広告、イベント、お知らせ等のコンテンツを不特定者に提示する仕組みとして、表示パネルを備えたデジタルサイネージ装置にデジタルコンテンツを表示させるシステム、いわゆるデジタルサイネージシステムが知られている。
【０００３】
また、近年では、大型のタッチパネルディスプレイに商品のイメージ画像を表示することでデジタルサイネージ装置として機能するとともに、当該商品の販売を行う次世代型の自動販売機が用いられている。このような自動販売機では、利用者は購入を所望する商品のイメージ画像を選択した後、ＩＣ（Integrated  Circuit）カード等を用いて決済を行うことで、商品の引き渡しが行われるよう構成されている。
【発明の概要】
【発明が解決しようとする課題】
【０００４】
しかしながら、従来のデジタルサイネージ装置（自動販売機）では、商品のパッケージ面が表示されるだけである。そのため、パッケージ面以外の他の面に記載された文字情報等の視認性について改善の余地があった。
【課題を解決するための手段】
【０００５】
上述した課題を解決するために、実施形態の情報表示装置は、商品のパッケージ面と当該パッケージ面以外の他の面とを表した商品画像と、当該商品に関する商品情報とを対応付けて記憶する第１の記憶手段と、利用者からの操作を受け付ける受付手段と、複数の商品について、前記商品画像に含まれる前記パッケージ面を表示するとともに、前記受付手段で受け付けた操作に応じて当該商品画像に含まれる前記他の面を表示する表示手段と、前記表示手段が表示する前記商品画像に関連付けて、対応する商品の前記商品情報を表示させる表示制御手段と、を備える。
【図面の簡単な説明】
【０００６】
【図１】図１は、本実施形態に係る商品販売システムの構成を示す図である。
【図２】図２は、商品表示装置の概略構成を示すブロック図である。
【図３】図３は、商品データテーブルのデータ構造の一例を示す図である。
【図４】図４は、広告データテーブルのデータ構造の一例を示す図である。
【図５】図５は、利用者データテーブルのデータ構造の一例を示す図である。
【図６】図６は、商品選択画面の一例を示す図である。
【図７】図７は、商品選択画面の一例である主要なパッケージ面の表示を示す図である。
【図８】図８は、商品選択画面の一例である主要なパッケージ面の複数表示を示す図である。
【図９】図９は、商品選択画面の一例であるトレーサビリティ情報を示す図である。
【図１０】図１０は、商品表示装置が実行する処理の手順を示すフローチャートである。
【発明を実施するための形態】
【０００７】
以下、添付図面を参照して、情報表示装置及びプログラムの実施形態を詳細に説明する。なお、以下に説明する実施形態は、情報表示装置及びプログラムの一実施形態であって、その構成や仕様等を限定するものではない。
【０００８】
図１は、実施形態に係る商品販売システム１の構成を示す図である。同図に示すように、商品販売システム１は、商品表示装置１０と、端末装置２０とを備えている。
【０００９】
商品表示装置１０は、各種商品の販売や宣伝を行うサイネージ端末等の情報処理装置である。この商品表示装置１０は、例えば、駅構内や、通路、スーパーやコンビニ等の店舗の店頭・店舗内等に設置される。
【００１０】
商品表示装置１０は、タッチパネルディスプレイ１１及びプリンタユニット１２と、これらタッチパネルディスプレイ１１及びプリンタユニット１２を保持する筐体部１３と、を備えている。タッチパネルディスプレイ１１は、液晶パネル等の表示手段である表示装置と、タッチパッド等の受付手段である位置入力装置とを有して構成される。プリンタユニット１２は、取引の完了時等に伝票等を印刷して発行する。また、筐体部１３には、ＢＧＭや広告音声等の各種音響出力を行うスピーカユニット１４が設けられている。
【００１１】
端末装置２０は、タッチパネルディスプレイ２１と、このタッチパネルディスプレイ２１を保持する筐体部２２と、を備えている。タッチパネルディスプレイ２１は、液晶パネル等の表示装置とタッチパッド等の位置入力装置とを有して構成される。
【００１２】
図２は、商品表示装置１０の概略構成を示すブロック図である。同図に示すように、商品表示装置１０は、上述したタッチパネルディスプレイ１１、プリンタユニット１２及びスピーカユニット１４の他、コントローラ１０１と、第１通信インタフェース１０２と、第２通信インタフェース１０３と、記憶装置１０４と、を備えている。
【００１３】
コントローラ１０１は、商品表示装置１０全体を制御する。コントローラ１０１は、ＭＰＵ（Micro  Processing  Unit）１０５と、ＲＯＭ（Read  Only  Memory）１０６と、ＲＡＭ（Random  Access  Memory）１０７と、表示制御部１１１と、を備えている。ここで、ＲＯＭ１０６は、ＭＰＵ１０５が実行するためのプログラム等を格納する。また、ＲＡＭ１０７は、ＭＰＵ１０５のワークエリアとして機能する。そして、コントローラ１０１は、ＭＰＵ１０５がＲＯＭ１０６や記憶装置１０４に格納されたプログラムを実行することにより、後述する表示制御部１１１と各機能部を実現させる。
【００１４】
第１通信インタフェース１０２は、ＮＦＣやＢｌｕｅｔｏｏｔｈ（登録商標）等の近距離無線用の通信インタフェースである。第１通信インタフェース１０２は、例えば、タッチパネルディスプレイ１１の右端部等、利用者の手が届く位置に内蔵される。第１通信インタフェース１０２は、自装置に近接した端末装置２０との間で通信を確立し、各種のデータを送受信する。
【００１５】
第２通信インタフェース１０３は、インターネット等のネットワークに有線又は無線で接続可能な通信インタフェースである。第２通信インタフェース１０３は、ネットワークに接続された図示しない外部装置との間で通信を確立し、各種のデータを送受信する。
【００１６】
記憶装置１０４は、ＨＤＤ（Hard  Disk  Drive）やＳＳＤ（Solid  State  Drive）等のリード／ライト可能な不揮発性の記憶媒体を有する。記憶装置１０４は、ＭＰＵ１０５が実行するためのプログラム等を記憶する。また、記憶装置１０４は、タッチパネルディスプレイ１１への表示に係る各種のコンテンツ等を記憶する。例えば、記憶装置１０４は、商品データテーブル１０４Ａと、広告データテーブル１０４Ｂと、利用者データテーブル１０４Ｃと、を記憶する。
【００１７】
図３は、商品データテーブル１０４Ａのデータ構造の一例を示す図である。同図に示すように、第１の記憶手段である記憶装置１０４に記憶された商品データテーブル１０４Ａは、所定の基準で区分けした商品カテゴリ（例えば、肉、野菜等）毎に、その商品カテゴリに所属する各商品の商品ＩＤを関連付けて格納している。ここで、商品ＩＤは各商品を識別するための識別情報（識別コード）である。
【００１８】
また、商品データテーブル１０４Ａは、商品ＩＤ毎に、対応する商品に関するコンテンツ（以下、商品コンテンツという）を関連付けて格納している。商品コンテンツは、例えば、その商品の商品名や価格等の商品情報の他、当該商品を表した画像データ（以下、商品画像という）等を含む。また、商品画像は、３次元画像であることが望ましく、２次元画像であってもよい。３次元画像を採用することにより、利用者は、より現実に近い画像で商品を選択することができる。また、利用者が全ての面を見れるようにするために、２次元画像を採用する場合に、画像は、商品の正面、背面、左側面、右側面、平面、底面の六面があることが好ましい。
【００１９】
また、商品データテーブル１０４Ａは、商品ＩＤ毎に、対応する商品に関する情報（以下、商品情報という）を関連付けて格納している。商品情報とは、例えば、その商品のパッケージに記載されている情報である。さらに詳細には、原材料、産地、含まれたアレルギー原因物質（アレルゲン）名、成分表示などである。また、商品情報は、ＯＣＲ（Optical  Character  Reader）等の文字認識処理などの方法で抽出してもよい。また、パッケージに記載されていない情報でもよく、生産者などといった、より詳細なトレーサビリティ情報でもよい。
【００２０】
また、図４は、広告データテーブル１０４Ｂのデータ構造の一例を示す図である。同図に示すように、広告データテーブル１０４Ｂは、宣伝対象の商品ＩＤに関連付けて、その商品ＩＤに対応する商品の広告用のコンテンツ（以下、広告コンテンツという）を格納している。ここで、広告コンテンツは、例えば、広告用の画像データや動画データ、音声データ等を含む。
【００２１】
また、利用者データテーブル１０４Ｃは、利用者に関するデータを格納している。図５は、第２の記憶手段である記憶装置１０４に記憶された利用者データテーブル１０４Ｃのデータ構造の一例を示す図である。同図に示すように、利用者データテーブル１０４Ｃは、予め登録を行った利用者毎に、利用者ＩＤ、氏名、住所、クレジット情報（カード番号、有効期限）等の利用者データと、当該利用者が留意している情報（以下、留意情報という）を関連付けて格納している。ここで、留意情報とは、例えば、アレルギー症状を引き起こすアレルゲンを示したアレルゲン情報や、成分表示のカロリーなどである。ここで、利用者ＩＤは、登録時に割り当てられた各利用者を識別するための会員番号等の識別情報である。以下では、利用者データテーブル１０４Ｃに登録された利用者データの利用者を「会員」と表記する。
【００２２】
また、記憶装置１０４は、上記したテーブル以外にも各種のデータを記憶する。例えば、後述する商品選択画面Ｇ１（図６参照）における商品画像の配置位置を定めるレイアウト情報や、広告コンテンツの表示スタイルを定める表示スタイル情報、各種表示効果用のデータ等を記憶する。
【００２３】
ところで、本実施形態では、商品表示装置１０のタッチパネルディスプレイ１１はポインティングデバイスとして機能する。より詳細には、コントローラ１０１は、タッチパネルディスプレイ１１上での接触位置に基づき、この接触位置に表示されたコンテンツ（商品画像等）に対する操作を可能にしている。
【００２４】
商品表示装置１０のコントローラ１０１は、ＲＯＭ１０６や記憶装置１０４に記憶されたプログラムに従ってＭＰＵ１０５を動作させることで、図２に示すように、表示制御部１１１を実現させる。
【００２５】
表示制御手段である表示制御部１１１は、タッチパネルディスプレイ１１に対する表示出力を制御する。例えば、表示制御部１１１は、記憶装置１０４に記憶された商品コンテンツに基づき、商品の選択画面（以下、商品選択画面Ｇ１という）をタッチパネルディスプレイ１１に表示させる。
【００２６】
ここで、図６は、商品選択画面Ｇ１の一例を示す図である。同図に示すように、商品選択画面Ｇ１は、第１領域Ａ１と第２領域Ａ２とを有する。表示制御部１１１は、商品データテーブル１０４Ａに登録された商品カテゴリに基づき、各商品カテゴリに対応する選択項目Ｇ１１を第１領域Ａ１に表示する。第１領域Ａ１では、第１領域Ａ１の左右に表示された矢印Ｇ１２、Ｇ１３の操作により、表示の対象となる一の商品カテゴリを選択することが可能となっている。なお、第１領域Ａ１内に収まらない選択項目Ｇ１１については、矢印Ｇ１２又は矢印Ｇ１３の操作によりスクロール表示されるものとする。
【００２７】
第１領域Ａ１において表示対象の商品カテゴリが選択されると、表示制御部１１１は、この商品カテゴリに所属する商品の情報を第２領域Ａ２に表示する。より詳細には、表示制御部１１１は、表示対象の商品カテゴリに関連付けられた各商品ＩＤの商品コンテンツを、商品データテーブル１０４Ａから読み出す。そして、読み出した商品コンテンツに含まれる商品画像及び商品情報に応じた画像を、商品毎に配列して表示する。
【００２８】
図６では、商品カテゴリ「調味料」を表す選択項目Ｇ１１が選択された例を示している。この場合、表示制御部１１１は、商品カテゴリ「調味料」に所属する各商品の情報を、第２領域Ａ２に表示する。
【００２９】
例えば、表示制御部１１１は、第２領域Ａ２内において、商品棚を模した背景画像Ｇ１４上に、第１領域Ａ１で選択された商品カテゴリに所属する各商品のパッケージの画像である商品画像Ｇ１５と、その商品情報を示したラベルＧ１６とを対応付けて表示する。ここで、第２領域Ａ２内における、各商品（商品画像Ｇ１５及びラベルＧ１６）の配置は、例えばレイアウト情報に基づいて行うものする。
【００３０】
また、第２領域Ａ２の左右に表示された矢印Ｇ１７、Ｇ１８の操作は、その矢印方向に画面スクロールすることを指示するための操作子である。表示制御部１１１は、この矢印Ｇ１７又は矢印Ｇ１８の操作を受け付けると、その矢印方向へ画面（背景画像Ｇ１４、商品画像Ｇ１５及びラベルＧ１６）をスクロールさせる。これにより、表示制御部１１１は、第２領域Ａ２内に収まらなかった商品画像Ｇ１５及びラベルＧ１６を表示させる。
【００３１】
また、表示制御部１１１は、商品選択画面Ｇ１に、動物等を模したキャラクター画像Ｇ１９を表示する。キャラクター画像Ｇ１９は、例えば「商品をタッチしてね」等のメッセージを表示することで、商品選択画面Ｇ１での操作方法等を利用者に提示する。
【００３２】
ここで、図７は、商品選択画面Ｇ１の一例である主要なパッケージ面の表示を示す図である。表示制御部１１１は、第２領域Ａ２に表示した何れかの商品（商品画像Ｇ１５又はラベルＧ１６）に対しタッチ操作が行われると、この商品の商品画像Ｇ１５に所定の表示効果を施す。例えば、表示制御部１１１は、図７に示すように商品の主要な情報が記載されたパッケージの面Ｇ２０を表示する。また、留意情報と同じ記載Ｇ２１あった場合に、表示制御部１１１は、商品画像Ｇ１５に所定の加工を施して表示する。図７は、留意情報として大豆が設定されていた場合に、大豆の文字を拡大することで利用者に明示している。そして、利用者がパッケージの面Ｇ２０をタッチしてフリック入力することにより、表示制御部１１１は、パッケージの面Ｇ２０を回転して表示する。それにより、利用者は、商品の正面、背面、左側面、右側面、平面、底面の六面を見ることができる。
【００３３】
なお、所定の加工、拡大に限らない。例えば、加工方法は、色を変える、太さを変える、背景色を変える、アニメーションを使用する、点滅させる、などの方式でもよい。これらの方法にて強調して表示されることで、利用者は、容易に留意情報と同じ記載Ｇ２１を発見することができる。
【００３４】
なお、パッケージの面Ｇ２０の表示は、一つの商品に限らない。ここで、図８は、商品選択画面Ｇ１の一例である主要なパッケージ面の複数表示を示す図である。例えば、利用者は、複数の商品のラベルを見比べたい場合がある。よって、複数の商品が選択された場合には、図８に示すように複数のパッケージの面Ｇ２０、Ｇ２０ａを表示させる形態としてもよい。また、複数のパッケージの面Ｇ２０、Ｇ２０ａを表示させた場合であっても、利用者がパッケージの面Ｇ２０をタッチしてフリック入力することにより、表示制御部１１１は、パッケージの面Ｇ２０を回転して表示する。
【００３５】
また、野菜、肉、魚などの生鮮食品は、パッケージに梱包されていない場合がある。または、パッケージに梱包されてはいるがトレーサビリティに関する情報が記載されていない場合などがある。ここで、図９は、商品選択画面Ｇ１の一例であるトレーサビリティ情報を示す図である。このような場合に、図９に示すようにトレーサビリティに関する情報などの商品情報を別画面Ｇ２２にて表示してもよい。
【００３６】
また、表示制御部１１１は、第２領域Ａ２に表示した商品の広告コンテンツを、当該商品に対応付けて表示する。より詳細には、表示制御部１１１は、第２領域Ａ２に表示した商品の商品ＩＤに関連づけられた広告コンテンツを広告データテーブル１０４Ｂから読み出し、当該商品の商品画像Ｇ１５に対応付けて表示させる。
【００３７】
次に、本実施形態の商品表示装置１０の動作について説明する。まず、図１０を参照して、商品表示装置１０の動作について説明する。
【００３８】
ここで、図１０は、商品表示装置１０が実行する処理の手順を示すフローチャートである。端末装置２０が第１通信インタフェース１０２に近づくことにより、自装置と端末装置２０との間の通信が確立すると、受信手段である第１通信インタフェース１０２は、端末装置２０から利用者ＩＤを受信（取得）する（ステップＳ１）。その際、受信した利用者ＩＤと利用者データテーブル１０４Ｃとを比較して、識別手段であるコントローラ１０１は、現在の利用者を識別する（ステップＳ２）。続いて、コントローラ１０１は、商品選択画面Ｇ１に対する利用者の操作に基づき、商品が選択されるまで待機する（ステップＳ３；Ｎｏ）。商品が選択されたと判定した場合（ステップＳ３；Ｙｅｓ）、コントローラ１０１は、ステップＳ４に移行する。
【００３９】
ステップＳ４では、表示制御部１１１が、選択された商品の商品画像Ｇ１５に所定の表示効果を施すことで、その商品が選択されたことを利用者に明示する（ステップＳ４）。その際、その選択された商品の商品情報に、ステップＳ２で識別した利用者の利用者データテーブル１０４Ｃの留意情報と同じ記載が存在している場合に、表示制御部１１１は、商品画像Ｇ１５に所定の加工を施して表示する。
【００４０】
次いで、コントローラ１０１は、利用者データに含まれる決済情報等に基づき、確定データに含まれた各商品の決済を行う（ステップＳ５）。
【００４１】
そして、コントローラ１０１は、端末装置２０に完了通知を送信した後（ステップＳ６）、当該端末装置２０との通信を切断する（ステップＳ７）。
【００４２】
以上のように、本実施形態によれば、選択された商品の商品情報やトレーサビリティに関する情報を加工して商品表示装置１０に表示する。これにより、商品の購入時に利用者は、留意している情報が認識しやすくなるため、利用者の視認性を改善することができる。
【００４３】
以上、本発明の実施形態を説明したが、上記実施形態は、例として提示したものであり、発明の範囲を限定することは意図していない。上記実施形態は、その他の様々な形態で実施されることが可能であり、発明の要旨を逸脱しない範囲で、種々の省略、置き換え、変更、追加等を行うことができる。また、上記実施形態やその変形は、発明の範囲や要旨に含まれるとともに、特許請求の範囲に記載された発明とその均等の範囲に含まれる。
【００４４】
なお、本実施形態では、商品情報に利用者が予め設定した留意情報が含まれていた場合に、強調表示にて表示しているが、これには限らないものとする。例えば、その商品のカロリーや塩分量などの一般的に、多くの消費者が気に留めている情報は、店舗側で強調表示となるように予め設定することにしてもよい。
【００４５】
なお、本実施形態では、留意情報を強調表示にて表示しているが、これには限らないものとする。例えば、外国人向けに翻訳して表示してもよい。または、原産国などの国名が記載されている場合に、国旗を表示させるようにしてもよい。
【００４６】
なお、本実施形態では、利用者データテーブル１０４Ｃの利用者は、会員として説明したがこれに限るものではない。利用者データテーブル１０４Ｃの各情報は、利用者が会員でなくとも、来店した際に設定できる形態としてもよい。
【００４７】
なお、本実施形態では、商品表示装置１０に表示させる形態にて説明したが、これに限らないものとする。例えば、タブレット端末やスマートフォンなどの端末に表示させる形態としてもよい。
【００４８】
なお、本実施形態では、商品の選択後にフリック入力することにより、表示制御部１１１は、パッケージの面Ｇ２０を回転して表示すると説明したが、これに限るものではない。例えば、商品を選択していない商品棚にある状態であっても、フリック入力することにより、表示制御部１１１は、パッケージの面Ｇ２０を回転して表示させてもよい。
【００４９】
また、上記実施形態では、端末装置２０から取得される利用者データに含まれた決済情報に基づき、商品の決済（電子決済）を行うこととしたが、決済方法はこれに限らないものとする。例えば、商品表示装置１０に対し、電子マネー機能を備えたＩＣカード等を別途読み取らせることで決済を行う形態としてもよい。また、商品表示装置１０が現金を取り扱うことが可能な構成の場合には、現金支払いにより決済を行う形態としてもよい。
【００５０】
なお、上記実施形態の商品表示装置１０の各装置で実行されるプログラムは、ＲＯＭ等の記録媒体に予め組み込まれて提供されるものとするが、これに限らず、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００５１】
さらに、上記実施形態の各装置で実行されるプログラムを、インターネット等のネットワークに接続されたコンピュータ上に格納し、ネットワーク経由でダウンロードさせることにより提供するように構成してもよい。また、上記実施形態の各装置で実行されるプログラムを、インターネット等のネットワーク経由で提供または配布するように構成してもよい。
【符号の説明】
【００５２】
１０      商品表示装置
１１      タッチパネルディスプレイ
１０１    コントローラ
１０４    記憶装置
１１１    表示制御部
１０４Ａ  商品データテーブル
１０４Ｃ  利用者データテーブル
【先行技術文献】
【特許文献】
【００５３】
【特許文献１】特開２０１２−１０８７１３号公報
【図１】
2014206811.tif 000003
【図２】
2014206811.tif 000004
【図３】
2014206811.tif 000005
【図４】
2014206811.tif 000006
【図５】
2014206811.tif 000007
【図６】
2014206811.tif 000008
【図７】
2014206811.tif 000009
【図８】
2014206811.tif 000010
【図９】
2014206811.tif 000011
【図１０】
2014206811.tif 000012